(57)【特許請求の範囲】
【請求項１】
第１パネルと、この第１パネルに重ねられた第２パネルと、これら第１パネルおよび第２パネルを互いに固定する連結手段とを有し、
前記連結手段は、前記第１パネルから切り出されたロックタブと、前記第２パネルから切り出された保持タブと、前記第２パネルの前記保持タブが切り出された跡に形成されたロック孔とを備え、
前記ロックタブは、前記第１パネルに折曲げ自在に連結された基端縁と、この基端縁に対向する自由端縁とを有し、
前記ロック孔は、前記ロックタブの基端縁に沿って延びる一端縁とこの一端縁に対向する他端縁とを有し、
前記保持タブは、前記ロック孔の他端縁に折曲げ自在に連結された基端縁と、この基端縁に対向する自由端縁とを有し、
前記ロックタブは前記第１パネルに対して角度をなすように折り曲げられることにより前記ロック孔に挿入されており、前記保持タブは前記第２パネルに対して角度をなすように折り曲げられてその自由端縁を前記ロックタブの一方の面に当接させることにより前記ロックタブを前記ロック孔内に保持しているカートンにおいて、
前記ロックタブの自由端縁から突出する突出部を設け、前記保持タブに前記突出部を受け入れる開口部を設け、
前記開口部は、前記保持タブの自由端縁に形成されたノッチであることを特徴とするカートン。
【請求項２】
第１パネルと、この第１パネルに重ねられた第２パネルと、これら第１パネルおよび第２パネルを互いに固定する連結手段とを有し、
前記連結手段は、前記第１パネルから切り出されたロックタブと、前記第２パネルから切り出された保持タブと、前記第２パネルの前記保持タブが切り出された跡に形成されたロック孔とを備え、
前記ロックタブは、前記第１パネルに折曲げ自在に連結された基端縁と、この基端縁に対向する自由端縁とを有し、
前記ロック孔は、前記ロックタブの基端縁に沿って延びる一端縁とこの一端縁に対向する他端縁とを有し、
前記保持タブは、前記ロック孔の他端縁に折曲げ自在に連結された基端縁と、この基端縁に対向する自由端縁とを有し、
前記ロックタブは前記第１パネルに対して角度をなすように折り曲げられることにより前記ロック孔に挿入されており、前記保持タブは前記第２パネルに対して角度をなすように折り曲げられてその自由端縁を前記ロックタブの一方の面に当接させることにより前記ロックタブを前記ロック孔内に保持しているカートンにおいて、
前記ロックタブの自由端縁から突出する突出部を設け、前記保持タブに前記突出部を受け入れる開口部を設け、
前記開口部は、前記保持タブに形成された嵌合孔であることを特徴とするカートン。
【請求項３】
前記ロック孔の前記一端縁から前記ロック孔内に突出するアンカー片が設けられ、前記ロックタブの基端縁の近傍に前記アンカー片を受け入れるアンカー孔が形成されていることを特徴とする請求項１記載のカートン。
【請求項４】
第１パネルと、この第１パネルに重ねられた第２パネルと、これら第１パネルおよび第２パネルを互いに固定する連結手段とを有し、
前記連結手段は、前記第１パネルから切り出されたロックタブと、前記第２パネルから切り出された保持タブと、前記第２パネルの前記保持タブが切り出された跡に形成されたロック孔とを備え、
前記ロックタブは、前記第１パネルに折曲げ自在に連結された基端縁と、この基端縁に対向する自由端縁とを有し、
前記ロック孔は、前記ロックタブの基端縁に沿って延びる一端縁とこの一端縁に対向する他端縁とを有し、
前記保持タブは、前記ロック孔の他端縁に折曲げ自在に連結された基端縁と、この基端縁に対向する自由端縁とを有し、
前記ロックタブは前記第１パネルに対して角度をなすように折り曲げられることにより前記ロック孔に挿入されており、前記保持タブは前記第２パネルに対して角度をなすように折り曲げられてその自由端縁を前記ロックタブの一方の面に当接させることにより前記ロックタブを前記ロック孔内に保持しているカートンにおいて、
前記ロックタブの自由端縁から突出する突出部を設け、前記保持タブに前記突出部を受け入れる開口部を設け、
前記ロックタブは、その基端縁と自由端縁の間に延びる一対の側縁と、これら側縁の少なくとも一方から側方に突出する張り出し部とを有し、この張り出し部を含む部分のロックタブの幅が前記ロック孔の前記一端縁の長さより大きく、
前記ロック孔は、その一端縁と他端縁との間に延びる一対の側縁を有し、これらロック孔の側縁の少なくとも一方から前記ロック孔内に突出する抜け止め片が設けられ、この抜け止め片により狭められた部分の前記ロック孔の幅が前記張り出し部を含む部分のロックタブの幅より小さいことを特徴とするカートン。
【請求項５】
第１パネルと、この第１パネルに重ねられた第２パネルと、これら第１パネルおよび第２パネルを互いに固定する連結手段とを有するカートンにおいて、
前記連結手段は、前記第１パネルから切り出されたロックタブと、前記第２パネルから切り出された保持タブと、前記第２パネルの前記保持タブが切り出された跡に形成されたロック孔とを備え、
前記ロックタブは、前記第１パネルに折曲げ自在に連結された基端縁と、この基端縁に対向する自由端縁とを有し、
前記ロック孔は、前記ロックタブの基端縁に沿って延びる一端縁とこの一端縁に対向する他端縁とを有し、
前記保持タブは、前記ロック孔の他端縁に折曲げ自在に連結された基端縁と、この基端縁に対向する自由端縁とを有し、
前記ロックタブと前記保持タブのうちいずれか一方のタブはその自由端縁から突出する突出部を有し、
他方のタブは前記突出部を受け入れる開口部を有し、
前記ロックタブは前記第１パネルに対して角度をなすように折り曲げられることにより前記ロック孔に挿入されており、前記保持タブは前記第２パネルに対して角度を成すように折り曲げられており、かつ、前記突出部が前記開口部に受け入れられていることを特徴とするカートン。
【請求項６】
前記突出部は、前記一方のタブの自由端縁のほぼ中央部から突出し、この突出部の両側に延びる前記一方のタブの自由端縁が前記他方のタブの一方の面に当接して前記他方のタブを折り曲げ状態に支持していることを特徴とする請求項５記載のカートン。
【発明の詳細な説明】
【０００１】
【発明の属する技術分野】
本発明は、連結手段により互いに重ね合わされた状態に固定される二枚のパネルを有するカートンに係り、特に、ゆるんだり外れたりしにくい新しい連結手段を有するカートンに関する。
【０００２】
【従来の技術】
複数の缶入り飲料あるいは瓶入り飲料等をひとまとめに包装する手段として従来から板紙製のラップアラウンド型カートンが知られている。このようなカートンは平らなブランクの状態で包装機に供給され、複数の缶あるいは複数の瓶等の物品群の外側に巻付けられた後、ブランクの両端を接着剤等の適当な手段を用いて互いに連結することによりスリーブ状のカートンに形成される。
【０００３】
ブランクの両端を連結する手段としては接着剤以外にも、いわゆる「メカニカルロック」が一般的に利用されている。メカニカルロックの一例は、特公昭６２−０２９３１３に開示されている。この公報に開示されたメカニカルロックは、ブランクの一端に位置する第１パネルおよび他端に位置する第２パネルを互いに重ねあわせた状態に固定する連結手段である。そのような連結手段は、第１パネルから切り出されたロックタブと、第２パネルから切り出された保持タブと、第２パネルの保持タブが切り出された跡に形成されたロック孔とを備えたものである。ロックタブの基端は第１パネルに折曲げ自在に連結され、保持タブの基端は第２パネルに折曲げ自在に連結されている。ブランクが物品群に巻付けられると第１および第２パネルは互いに重ね合わされてカートンの底板を形成し、第１パネルのロックタブが上方ヘ折り曲げられて第２パネルのロック孔に挿入される。その際、保持タブはロックタブに押し退けられて第２パネルに対して角度をなすように上方へ折り曲げられ、最終的に保持タブの自由端がロックタブの下面に突き当てられてロックタブを折り曲げ状態に支持し、しかしてロックタブがロック孔内（すなわちロック孔の縁に係合した状態）に保持される。
【０００４】
【発明が解決しようとする課題】
ラップアラウンド型カートンは、中の物品を確実に保持するために、物品群にゆるみ無くきつく巻付けられるので、上述のような連結手段には常に引っ張り力が作用する。従って、例えば輸送中にカートンが振動させられると、ロックタブの曲げ戻りが起こり、極端な場合には保持タブがロックタブの下から抜け出すことがあり得る。このような場合、カートンがゆるんで中の物品が抜け落ちやすくなるので、何等かの手段により上述のような曲げ戻りを防止する必要がある。
【０００５】
本発明は上記の事情に鑑みてなされたもので、ロックタブの曲げ戻りによるゆるみが生じにくいカートンを提供することを目的とする。
【０００６】
【課題を解決するための手段】
本発明はロックタブの曲げ戻りを防止する新しい連結手段を有するカートンを提供する。本発明のカートンは、第１パネルと、この第１パネルに重ねられた第２パネルと、これら第１パネルおよび第２パネルを互いに固定する連結手段とを有する。連結手段は、第１パネルから切り出されたロックタブと、第２パネルから切り出された保持タブと、第２パネルの保持タブが切り出された跡に形成されたロック孔とを有する。ロックタブの基端縁は第１パネルに折曲げ自在に連結され、その自由端縁には突出部が設けられている。ロック孔はロックタブの基端縁に沿って延びる一端縁とこの一端縁に対向する他端縁とを有する。保持タブの基端縁はロック孔の他端縁に折曲げ自在に連結され、かつ、ロックタブの突出部を受け入れる開口部が保持タブに設けられている。ロックタブの突出部は保持タブの開口部に対向する位置に設けられ、突出部の形状および大きさは突出部が開口部に嵌まり込むように設定されている。ロックタブは第１パネルに対して角度をなすように折り曲げられることによりロック孔に挿入されている。保持タブはロックタブに押しのけられて第２パネルに対して角度をなすように折り曲げられ、その自由端縁をロックタブの一方の面に当接させることによりロックタブをロック孔内に保持している。
【０００７】
前記開口部は例えば保持タブの自由端縁の近傍に形成された孔または保持タブの自由端縁に形成されたノッチである。このような構成のカートンにおいて、振動などにより保持タブの自由端縁がロックタブの面に沿ってロックタブの自由端縁方向に滑りだすと、ロックタブの曲げ戻りが始まる。しかしながら、保持タブの自由端縁がロックタブの自由端縁を通り過ぎると、ロックタブの突出部が保持タブの開口部に嵌まり込んでそれ以上のロックタブの曲げ戻りを未然に防ぐ。つまり、このように突出部が開口部に嵌まり込むと、ロックタブの突出部が開口部の中で保持タブに寄り掛かかり、かつ保持タブが突出部の両側に延びるロックタブの自由端縁に寄り掛かった状態となる。これはロックタブと保持タブが互いに支えあった極めて安定性の高い状態であるのでロックタブと保持タブの相対移動、即ち曲げ戻りが防止される。
【０００８】
上記の構成に加え、ロックタブの両側縁の少なくとも一方から側方に突出する張り出し部を形成し、この張り出し部を含む部分のロックタブの幅がロック孔の一端縁の長さより大きくなるようロックタブおよびロック孔のサイズを設定してもよい。
【０００９】
また、上記張り出し部に加え、ロック孔の両側縁の少なくとも一方からロック孔内に突出する抜け止め片を設け、この抜け止め片により狭められた部分のロック孔の幅が張り出し部を含む部分のロックタブの幅より小さくなるようにしてもよい。
【００１０】
さらに、保持タブの開口部としてノッチを採用したカートンの場合、上記張り出し部、または張り出し部と抜け止め片に加え、あるいは張り出し部、または張り出し部と抜け止め片に代えて、ロック孔の一端縁からロック孔内に突出するアンカー片を設け、ロックタブの基端縁の近傍にそのアンカー片を受け入れるアンカー孔を設けるようにしても良い。
【００１１】
上記張り出し部、アンカー片、抜け止め片等は、どれも、本発明カートンの連結手段の信頼性を高めるうえで有効である。
【００１２】
また、本願第２発明のカートンは上記第１発明のカートン同様、第１パネルとこの第１パネルに重ねられた第２パネルと、これら第１パネルおよび第２パネルを互いに固定する連結手段とを有する。第１発明のカートンと異なる点は、突出部がロックタブと保持タブのうちいずれか一方のタブの自由端縁に設けられ、開口部が他方のタブに設けられ、かつ、突出部が常に開口部にはまり込んでいることである。つまり、第２発明のカートンでは、孔またはノッチ等の開口部は保持タブに限らずロックタブに設けても良い。この発明のカートンの場合、ロックタブがロック孔に挿入された直後に、一方のタブの突出部が他方のタブの開口部に嵌まり込む。この状態は上述したように両方のタブが互いに支えあった安定状態であるので、カートンに振動が与えられても、ロックタブの曲げ戻りが生じない。
【００１３】
【発明の実施の形態】
図１〜図１０は本発明の一実施形態のカートンを示し、図１はそのカートンを組み立てるための平らなブランクを示している。このブランクは例えばボール紙、板紙またはプラスチックシート等の折り曲げ自在なシート材料から形成されている。このブランクは全体がほぼ縦長の矩形を呈しており、互いに折り曲げ自在に一列に連結された複数のパネルおよび板により構成されている。これら複数のパネルおよび板は、図１における上から順に、第１パネル１２、第１側板１４、頂板１６、第２側板１８、および第２パネル２０である。第１パネル１２は折目線２２に沿って第１側板１４に折り曲げ自在に連結されている。第１側板１４は折目線２４に沿って頂板１６の一側縁に折り曲げ自在に連結されている。頂板１６の他側縁は折目線２６に沿って第２側板１８に折り曲げ自在に連結されている。第２側板１８は折目線２８に沿って第２パネル２０に折り曲げ自在に連結されている。
【００１４】
頂板１６にはクッション片３０、３２により塞がれたフィンガーホールが形成されている。つまりクッション片を指で押し下げることにより頂板１６に一対のフィンガーホールが形成されるようになっている。第１側板１４には缶等の物品の両端部を受け入れるための物品受入孔３４〜３９が折目線２２、２４に沿って形成されている。また、第２側板１８にも同様の物品受入孔４０〜４５が折目線２６、２８に沿って形成されている。これら物品受入孔３４〜４５は周知のように、物品がカートンから抜け落ちるのを防止する手段である。また、第１パネル１２にはほぼ三角形の引っ掛け孔５０〜５２が形成され、第２パネル２０にも同様な引っ掛け孔５３〜５５が形成されている。これらの引っ掛け孔５０〜５５は、後述するように、包装機のパーツを係合させるための手段である。
【００１５】
第１パネル１２にはブランクの一端縁５８に沿って複数のロックタブ６０、６２、６４、６６が設けられている。これらロックタブは第１パネル１２から切り出されたもので、各ロックタブは第１パネル１２に折り曲げ自在に連結されている。また第２パネル２０にはブランクの他端縁５９に沿って、複数の保持タブ７０、７２、７４、７６が設けられている。これら保持タブは第２パネル２０から切り出されたもので、各保持タブは第２パネル２０に折り曲げ自在に連結されている。各保持タブが第２パネル２０に対して折り曲げられると、その保持タブが切り出された跡にロック孔（図５、符号１０２参照）が形成される。このロック孔はその保持タブに対向する位置に設けられたロックタブを受け入れるための孔である。つまり、ロックタブ６０、６２、６４、６６はその記載順に保持タブ７０、７２、７４、７６と対をなし、各ロックタブはこれと対をなす保持タブと協力して第１パネル１２と第２パネル２０を重ねあわせ状態に固定するための連結手段を構成する。ロックタブ６０、６６はそれらの大きさおよび形状が同じであり、ロックタブ６２、６４はそれらの大きさおよび形状が同じである。一方、保持タブ７０、７６はそれらの大きさおよび形状が同じであり、保持タブ７２、７４はそれらの大きさおよび形状が同じである。従って、以下の説明はロックタブ６０、６２および保持タブ７０、７２についてのみにとどめ、他のタブの説明は省略する。
【００１６】
図２はロックタブ６２と保持タブ７２を拡大し、かつブランクの両端縁５８、５９が互いに向き合うように配置した図である。つまり、図２は第１パネル１２と第２パネル２０が互いに重ね合わされる直前の状態を示しいる。両パネルが互いに重ねられたとき、ロックタブ６２と保持タブ７２は図２に示された向きで互いに重なり合う。図２（ａ）において、ロックタブ６２はその基端縁が折目線８０に沿って第１パネル１２に折り曲げ自在に連結されている。この折目線８０は後述するアンカー孔により中断されている。ロックタブ６２は折目線８０からブランクの一端縁５８に向かって自由端縁８２まで延びている。この自由端縁８２は折目線８０とほぼ平行であり、自由端縁８２の中央部分にはこの自由端縁８２からブランクの一端縁５８に向かって突出する舌片状の突出部８４が設けられている。またロックタブ６２はその基端縁と自由端縁の間に折目線８０と直交する方向に延びる一対の側縁８６、８８と、これら両側縁８６、８８から側方に突出する張り出し部９０、９２を有する。さらに、ロックタブ６２は折目線８０の中断箇所をつなぐように円弧状に延びるスリット９４を有し、このスリット９４によりロックタブ６２の基端の一部が半月状に切り取られている。従って、ロックタブ６２を折目線８０に沿って折り曲げるとロックタブ６２の基端部に半月状のアンカー孔９６（図５参照）が形成される。
【００１７】
図２（ｂ）に示されるように、保持タブ７２は、ほぼ「コ」の字状のスリットにより第２パネル２０から切り出されている。保持タブ７２の基端縁は図２には明示されていないが、コの字状スリットの両端を結ぶ仮想線が保持タブ７２の基端縁に相当する。この保持タブ７２の基端縁が折り曲げ自在に第２パネル２０のロック孔１０２の他端縁に相当する箇所に連結されている。図２の例には示されていないが、保持タブ７２の基端縁に沿う折り曲げ線を設ければ、保持タブ７２を第２パネル２０に対してさらに折り曲げ易くすることができる。ただし、保持タブ７２をロックタブ６２にしっかり係合させるには、保持タブ７２がその「曲げ」に対してある程度反発することが必要である。従って、保持タブ７２の基端に折目線を設けるか否かは、使用するシート材料の性質や厚さに応じて決定する。保持タブ７２はその基端縁からブランクの他端縁５９に向かって自由端縁９８まで延びている。この自由端縁９８は保持タブ７２の基端縁とほぼ平行であり、自由端縁９８の中央部分は保持タブ７２の内方ヘ向かって凸に湾曲し、これにより保持タブ７２の自由端の一部が半月状に切取られている。従って、この保持タブ７２をその基端縁に沿って折り曲げると、保持タブ７２の自由端縁９８の中央部分にノッチ１００（図７参照）が形成され、かつ、ロック孔１０２の一端縁１０４（図５参照）からロック孔内に突き出す半月状のアンカー片１０６（図２および図６参照）が形成される。つまり、このアンカー片１０６は保持タブ７２の自由端から切取られたもので、その切取られた跡にノッチ１００が形成される。また、保持タブ７２はその自由端縁９８と基端縁との間に延びる両側縁１０８、１１０を有する。これら各側縁１０８、１１０は自由端縁９８近傍の一部が半月状に湾曲している。従って、この保持タブ７２をその基端縁に沿って折り曲げると、ロック孔１０２の両側縁からロック孔１０２内に突き出す半月状の抜け止め片１１２、１１４が形成される。
【００１８】
ロックタブ６２の基端縁（折目線８０）と自由端縁８２の距離は、保持タブ７２の基端縁と自由端縁９８の距離より小さいのが好ましい。張り出し部９０、９２を含む部分のロックタブ６２の幅Ｗ１（図２参照）、即ちロックタブ６２の最大幅は、ロック孔１０２の一端縁１０４の長さＷ２（図２参照）より大きい。従って、抜け止め片１１２、１１４により狭められた部分のロック孔１０２の幅は、ロックタブ６２の最大幅Ｗ１より小さい。
【００１９】
図３はロックタブ６０と保持タブ７０を拡大し、ブランクの両端縁５８、５９が互いに向き合うように配置した図である。図３（ａ）に示すロックタブ６０はそのサイズがロックタブ６２より小さいことを除けば、ロックタブ６２と全く同じである。従って、その各部はロックタブ６２と同じ符号を用いて表示し、各部の説明は省略する。図３（ｂ）に示す保持タブ７０はそのサイズが保持タブ７２より小さい。また、保持タブ７２と異なり両側縁は直線状で湾曲箇所がない。従って、保持タブ７０の跡に形成されるロック孔の両側縁には抜け止め片が形成されない。保持タブ７０のその他の部分は保持タブ７２と同様であるので、それら同様の箇所については保持タブ７２と同じ符号を用いて表示する。
【００２０】
上述したようなタブを有するブランクは包装機に供給され、例えば複数の缶等から成る物品群の上に被せられる。次いで、上述した引っ掛け孔５０〜５５に包装機のパーツが挿入されて第１パネル１２および第２パネル２０が互いの方向へ引き寄せられ、かつ互いに重ね合わされる。このとき第１パネル１２は、図４に見られるように第２パネル２０の外側に重ねられ、かつ、各ロックタブの折目線（即ちロックタブの基端縁）８０はそのロックタブと対をなす保持タブの自由端縁９８（図２および図３の状態ではロック孔の一端縁１０４と同じ）の真上に丁度来るように重ねられる。そして、各対のロックタブと保持タブを互いに係合させることにより、両パネル１２、２０を重ねあわせ状態に固定し、ブランクを図４に示すようにスリーブ状のカートンに仕上げる。図４は完成状態のカートンの上下を転倒させて描いてあり、互いに固定されたパネル１２、２０はカートンの底板を形成する。しかしながら、連結手段により相互連結される二枚のパネルは必ずしも底板を形成するものである必要はなく、例えば頂板、あるいは一方の側板等を形成するパネルであってもよい。
【００２１】
ロックタブと保持タブを係合させる操作は通常、パンチング機構に似た周知の包装機パーツを使用してロックタブをロック孔の中に押し込むことによりなされる。以下、そのような押し込み操作を図５〜図７を用いて説明する。ロックタブ６２を第１パネル１２に対して折り曲げてロック孔１０２の中ヘ押し込むと、保持タブ７２がロックタブ６２に押しのけられて、ロックタブ６２と同方向へ折り曲げられる。これによりロックタブ６２が図６のように保持タブ７２の上側に乗りあげて保持タブ７２に寄り掛かった状態となり、しかして、ロックタブ６２は第２パネル２０に対して一定の角度をなす折り曲げ状態に保持される。このように折り曲げ状態に保持されることにより、ロックタブ６２の基端部はロック孔１０２の一端縁１０４に係合し、かつ、図６のようにロックタブ６２のアンカー孔９６にアンカー片１０６が挿入されてロックタブ６２がロック孔１０２から抜けにくくなる。また、図５のようにロックタブ６２の張り出し部９０、９２がロック孔１０２の両側縁１０８、１１０に係合し、これによってもロックタブ６２の抜け止めがなされる。一方、同じ状態を保持タブ７２の側からみた場合、図７のように保持タブ７２はその自由端縁９８をロックタブ６２の下面に突き当てた状態で、ロックタブ６２を下から支持する。従って、自由端縁９８とロックタブ６２の下面との間の摩擦により保持タブ７２は第２パネル２０に対して一定の角度をなす折り曲げ状態に保持される。このようにロックタブ６２がロック孔１０２内で保持タブ７２に寄り掛かって第２パネル２０に対して角度をなす状態に保たれることにより、第１パネル１２と第２パネル２０が相互に連結される。
【００２２】
上述した両タブ６２、７２の相互係合状態において、保持タブ７２の自由端縁９８はロックタブ６２の下面に押し当てられているだけであるから、例えばカートンがその輸送中に振動させられると、保持タブ７２の自由端縁９８がロックタブ６２の下面に沿って図６の斜め上方に滑りだすことがある。自由端縁９８が上方ヘ滑りつづけて保持タブ７２がロックタブ６２の下から外れてしまうと、図８にようにロックタブ６２がその第２パネル２０に対する角度を減ずる方向へ曲げ戻り、両タブ６２、７２の係合が著しくゆるんでしまう。しかしながら、本願発明のカートンの場合、保持タブ７２の自由端縁９８がロックタブ６２の自由端縁８２を通り過ぎた時点で、図９のようにロックタブ６２の突出部８４が保持タブ７２のノッチ１００に嵌まり込む。この突出部８４とノッチ１００の嵌合により、ロックタブ６２の曲げ戻りが防止される。つまり、突出部８４がノッチ１００に嵌まり込むと、ロックタブ６２の突出部８４がノッチ１００の中で保持タブ７２に寄り掛かかり、かつ保持タブ７２が突出部８４の両側に延びる自由端縁８２に寄り掛かった状態となるので、ロックタブ６２と保持タブ７２は互いに支え合って、両者ともそれ以上下方へ回動できなくなる。このような相互寄り掛かり状態は図１０に最も良く示されている。なお、ロック孔１０２内に突出する抜け止め片１１２、１１４は、ロックタブ６２が万一、図８のように曲げ戻ってしまった際にロックタブ６２の張り出し部９０、９２と協力してロックタブ６２がロック孔１０２から完全に抜け出してしまうのを防ぐ作用がある。
【００２３】
ロックタブ６０と保持タブ７０を係合させるための操作、および相互係合状態における振動に対する両タブ６０、７０の挙動はロックタブ６２および保持タブ７２の場合と同様である。
【００２４】
図１１〜図１３は上記連結手段の変形例を示している。これら３つの変形例の連結手段は各々、上述したロックタブ６０、６２、６４、６６及び保持タブ７０、７２、７４、７６に代えて、上述したようなラップアラウンド型カートンの第１パネルおよび第２パネルを重ねあわせ状態に固定するために使用される。図１１〜図１３、各図の変形例において、図２の連結手段と同様な箇所には図２で用いた符号と同一の符号を付して説明を省略する。また、図１１〜図１３における共通部分についても同一符号を用いて説明の重複を避ける。
【００２５】
図１１の第一変形例の連結手段において、図１１（ａ）に示すロックタブ１２２はその基端縁が連続した折目線１１６に沿って第１パネル１２に折り曲げ自在に連結されている。従って、ロックタブ１２２はアンカー孔を持たない。ロックタブ１２２のその他の部分はロックタブ６２と同様である。図１１（ｂ）に示す保持タブ１３２の自由端縁１１８は一直線状であり湾曲していない。従って、保持タブ１３２はその自由端縁にノッチを持たない。ただし、自由端縁１１８の近傍の部分にノッチに代わる開口部として半月状の嵌合孔１２０が形成されている。保持タブ１３２のその他の部分は保持タブ７２と同様である。また、保持タブ１３２がノッチを持たないので、この保持タブ１３２により第２パネル２０に形成されるロック孔の中に突出するアンカー片はない。
【００２６】
第一変形例のロックタブ１２２と保持タブ１３２を係合させるための操作、および係合状態におけるその作用効果は、アンカー片およびアンカー孔の抜け止め作用が得られないことを除き、上記タブ６２、７２のそれと同様である。係合状態における振動に対する両タブ１２２、１３２の挙動も、ノッチではなく嵌合孔１２０に突出部８４が嵌まり込むことを除き、上記タブ６２、７２の場合と同様である。
【００２７】
図１２及び図１３の連結手段、即ち第二、第三変形例の連結手段が図２、図３、図１１の連結手段と大きく異なる点は、突出部が保持タブの自由端縁に設けられ、その突出部を受け入れる開口部がロックタブに形成されていることである。即ち、図１２（ｂ）では保持タブ１６２の自由端縁１６４の中央部分に突出部１６６が設けられている。この突出部１６６を受け入れる開口部は、図１２（ａ）に示すロックタブ１４２の自由端縁１４４に形成されたノッチ１４６である。この第二変形例の連結手段では、ロックタブ１４２が保持タブ１６２により形成されるロック孔に挿入されて保持タブ１６２の上側に乗りあげると、これとほぼ同時に保持タブ１６２の突出部１６６がロックタブ１４２のノッチ１４６に嵌まり込む。この嵌合がなされると、保持タブ１６２の突出部１６６がノッチ１４６の中でロックタブ１４２に寄り掛かかり、かつロックタブ１４２が保持タブ１６２の突出部１６６の両側に延びる自由端縁１６４に寄り掛かった状態となるので、ロックタブ１４２と保持タブ１６２は互いに支え合って、両者とも下方へ回動できなくなる。
【００２８】
図１３（ｂ）に示す保持タブ１６２は図１２（ｂ）のそれと全く同じである。この第三変形例の連結手段において、保持タブ１６２の突出部１６６を受け入れる開口部は、図１３（ａ）に示すロックタブ１５２の自由端部に形成された嵌合孔１５４である。この第三変形例の連結手段の係合操作は第二変形例の連結手段のそれと同様である。ただし、この第三変形例の連結手段の場合、突出部１６６が嵌合孔１５４に嵌まり込むと、ロックタブ１５２と保持タブ１６２が互いに支え合って両者とも下方へ回動できなくなるだけでなく、保持タブ１６２は上方へも回動できなくなる。つまり、保持タブ１６２はロックタブ１５２の下から抜け出すことがないので、ロックタブ１５２の曲げ戻りがほぼ完全に防止される。
【００２９】
以上、本発明を特定の実施形態およびその一部を変形させた変形例に基づいて説明したが、本発明は上述の実施形態あるいは変形例のカートンに限定されるものではない。つまり、本発明のカートンは図４に示されるように二列に配列された複数の缶を包装するものに限らず、一列または三列以上に配列された缶、瓶あるいは他のほぼ円柱状の物品を包装できるよう設計されたものであっても良い。ただし、中に包装される物品が一列、三列等の奇数列に配される場合、第１パネルおよび第２パネルの重複部分はカートンの底板の中央でなく、どちらか一方の側板の方ヘ偏った位置にくることになるので、第１パネルと第２パネルの幅が異なるようになる。特に一列の缶を包装するカートンの場合、ロックタブまたは保持タブのいずれかを第１または第２パネル中、一方の側板の下縁に沿って設けることになる。また、本発明のカートンは図１に示すように５枚のパネルからなるものに限らず、例えば頂板と両側板の間にショルダーパネルを折り曲げ自在に介在させたもの、あるいは底板と両側板の間にヒールパネルを折り曲げ自在に介在させたもの、あるいはショルダーパネルとヒールパネルの両者を有するもの等、ラップアラウンド型カートンであればどのようなカートンであってもよい。さらに、本発明はラップアラウンド型カートンに限らず、二枚の互いに重なり合うパネルを互いに固定する必要のあるカートンであれば、どのようなカートンにでも利用することができる。そのようなカートンは、例えば、２枚以上のブランクを組み合わせて形成するタイプのカートン、あるいは互いに重なり合う二枚以上の端部閉塞フラップを筒状本体の少なくとも一端部に有するスリーブ型カートン等である。
【００３０】
【発明の効果】
第１発明のカートンによれば、輸送中の振動などによりロックタブの曲げ戻りが始まると、ロックタブの突出部が保持タブの開口部に嵌まり込んでそれ以上のロックタブの曲げ戻りが防止される。つまり、連結手段の係合がゆるみにくいので、中の物品を確実に保持する信頼性の高いカートンが得られる。また、第２発明のカートンによれば、ロックタブと保持タブが互いに支えあった安定状態となるので、例えば輸送中にカートンに振動が与えられてもロックタブの曲げ戻りが生じない。従って、ゆるみにくく、物品保持信頼性の高いカートンが得られる。
【図面の簡単な説明】
【図１】  本発明の一実施形態のカートンを形成するためのブランクを示す平面図である。
【図２】  図１に示した連結手段のうち一対のロックタブと保持タブであり、（ａ）はロックタブ、（ｂ）は保持タブを示す拡大平面図である。
【図３】  図１に示した連結手段のうち他の一対のロックタブと保持タブであり、（ａ）はロックタブ、（ｂ）は保持タブを示す拡大平面図である。
【図４】  図１のブランクから形成された完成状態のカートンを、その上下を転倒させて示した斜視図である。
【図５】  図２のロックタブと保持タブが互いに係合した状態を示す斜視図である。
【図６】  図５のＶＩ−ＶＩ線に沿う矢視図である。
【図７】  図５に示す係合状態の連結手段を保持タブの側からみた斜視図である。
【図８】  図６の連結手段がロックタブの曲げ戻りによりゆるんだ状態を示す断面図である。
【図９】  図６の状態からロックタブがわずかに曲げ戻ることにより、ロックタブの突出部が保持タブのノッチに嵌まり込んだ状態を示す斜視図である。
【図１０】  図９のＸ−Ｘ線に沿う矢視図である。
【図１１】  図２の連結手段の第一変形例を示し、（ａ）はロックタブ、（ｂ）は保持タブを示す平面図である。
【図１２】  図２の連結手段の第二変形例を示し、（ａ）はロックタブ、（ｂ）は保持タブを示す平面図である。
【図１３】  図２の連結手段の第三変形例を示し、（ａ）はロックタブ、（ｂ）は保持タブを示す平面図である。
【符号の説明】
１２  第１パネル
１４  第１側板
１６  頂板
１８  第２側板
２０  第２パネル
６０、６２、６４、６６  ロックタブ
７０、７２、７４、７６  保持タブ
８０  ロックタブの基端縁
８２  ロックタブの自由端縁
８４  突出部
８６、８８  ロックタブの側縁
９０、９２  ロックタブの張り出し部
９６  アンカー孔
９８  保持タブの自由端縁
１００  ノッチ
１０２  ロック孔
１０４  ロック孔の一端縁
１０６  アンカー片
１１２、１１４  抜け止め片
１２０  第一変形例の保持タブの嵌合孔
１２２  第一変形例のロックタブ
１３２  第一変形例の保持タブ
１４２  第二変形例のロックタブ
１４６  第二変形例のロックタブのノッチ
１５２  第三変形例のロックタブ
１５４  第三変形例のロックタブの嵌合孔
１６２  第二変形例および第三変形例の保持タブ
１６６  第二変形例および第三変形例の保持タブの突出部
【図１】
0004098382.tif 000002
【図２】
0004098382.tif 000003
【図３】
0004098382.tif 000004
【図４】
0004098382.tif 000005
【図５】
0004098382.tif 000006
【図６】
0004098382.tif 000007
【図７】
0004098382.tif 000008
【図８】
0004098382.tif 000009
【図９】
0004098382.tif 000010
【図１０】
0004098382.tif 000011
【図１１】
0004098382.tif 000012
【図１２】
0004098382.tif 000013
【図１３】
0004098382.tif 000014